(57)【要約】【課題】透明基板に入射する光のうち、透明基板内を反射を繰り返しながら板面の方向に伝搬する光が集積回路の能動領域に到達することをできるだけ排除できる液晶表示装置の提供。【解決手段】この液晶表示装置は、液晶パネル１の透明基板３上に、表示に係る集積回路５を搭載するとともに、その搭載時に集積回路５の能動領域が透明基板３上と対向するようになっている。また、透明基板３上であって、集積回路５の搭載領域およびその搭載領域の周囲の領域に、ブラスト処理領域６をそれぞれ設けるようにした。このため、透明基板３内に入射した光の一部が、その透明基板３内を反射を繰り返して板面方向に伝搬してブラスト処理領域６を通過するが、この通過の際にその光がラスト処理領域６で散乱され、集積回路５の能動領域への到達量が減少する。【選択図】  図１
2004347763.tif 000002
【特許請求の範囲】
【請求項１】
液晶パネルの透明基板上に、表示に係る集積回路を搭載するとともに、その搭載時に前記集積回路の能動領域が前記透明基板上と対向するようになっている液晶表示装置において、
前記透明基板上であって、前記集積回路の搭載領域およびその搭載領域の周囲に、ブラスト処理領域をそれぞれ形成するようにしたことを特徴とする液晶表示装置。
【請求項２】
液晶パネルの透明基板上に、表示に係る集積回路を搭載するとともに、その搭載時に前記集積回路の能動領域が前記透明基板上と対向するようになっている液晶表示装置において、
前記透明基板上であって、前記集積回路の搭載領域の周囲に、ブラスト処理領域を形成するようにしたことを特徴とする液晶表示装置。
【請求項３】
液晶パネルの透明基板上に、表示に係る集積回路を搭載するとともに、その搭載時に前記集積回路の能動領域が前記透明基板上と対向するようになっている液晶表示装置において、
前記透明基板であって、前記集積回路の搭載領域およびその搭載領域の周囲の各下方の透明基板内に、前記集積回路の能動領域に入射する光を遮断する遮光層を、それぞれ設けるようにしたことを特徴とする液晶表示装置。
【請求項４】
液晶パネルの透明基板上に、表示に係る集積回路を搭載するとともに、その搭載時に前記集積回路の能動領域が前記透明基板上と対向するようになっている液晶表示装置において、
前記透明基板であって、前記集積回路の搭載領域の下方の透明基板内に、前記集積回路の能動領域に入射する光を遮断する遮光層を設けるようにしたことを特徴とする液晶表示装置。
【請求項５】
液晶パネルの透明基板上に、表示に係る集積回路を搭載するとともに、その搭載時に前記集積回路の能動領域が前記透明基板上と対向するようになっている液晶表示装置において、
前記透明基板は、前記集積回路の搭載領域およびその搭載領域の周囲をそれぞれ着色処理して、着色処理領域としたこと特徴とする液晶表示装置。
【発明の詳細な説明】
【０００１】
【発明の属する技術分野】
本発明は、液晶表示装置に関し、特に、表示に係る集積回路がペレット状態で直接ガラス基板に搭載されるＣＯＧ（ｃｈｉｐ  ｏｎ  ｇｌａｓｓ）構造の液晶表示器に関するものである。
【０００２】
【従来の技術】
従来、この種の液晶表示装置としては、それぞれが電極群を有する２枚の透明基板を相対向させて電気光学材料を封入し、駆動回路ＩＣからなるチップをその透明基板上にチップオングラス実装し、その電気光学材料を駆動回路ＩＣで駆動する表示装置において、その駆動回路ＩＣのアクティブ領域へ入射する光を遮断する光遮断膜を、透明基板上に形成するようにしたものが知られている（例えば、特許文献１参照）。
【０００３】
このような従来装置によれば、バックライト光が透明基板を透過しても、光遮蔽膜がその光を反射するので、駆動回路ＩＣのアクティブ領域に光が入射することがなく、駆動回路ＩＣの誤動作を防止できる。
【０００４】
【特許文献１】
特開平５−８３７３０号公報（図３参照）
【０００５】
【発明が解決しようとする課題】
上記のように従来装置では、光遮光膜は、透明基板のうち、駆動回路ＩＣの能動領域に対向する位置のみに形成されている。
このため、透明基板に入射する光のうち、透明基板の厚さ方向に伝搬する光はその光遮光膜で反射されて、駆動回路ＩＣの能動領域に伝搬するのを防止することができる。しかし、透明基板に入射する光の一部は、透明基板内を反射を繰り返しながら板面の方向に伝搬するので、その光の一部は光遮光膜で遮光できずに、駆動回路ＩＣの能動領域まで到達してしまうという不具合がある。また、透明基板上への光遮光膜の形成は、加工の点からは自由度が必ずしも高いとはいえない。
【０００６】
一方、上記の従来装置では、光遮光膜が、透明基板の表面に凸部を形成するようになっている。
このため、例えば、駆動回路ＩＣが能動領域に多数のバンプを有するような場合に、その駆動回路ＩＣを透明基板上に実装しようとしても、透明基板とバンプとの間に光遮光膜が介在してしまい、光遮光膜が存在する部分は、バンプと透明基板上の配線とを接合することができないという不具合がある。
【０００７】
この不具合を解消するには、例えば、光遮光膜上にバンプと接合するための電極を形成するとともに、その電極を透明基板上の配線と接続することが必要となる。このため、透明基板などの構造が複雑化する上に、既存の実装技術が利用できないという新たな不具合が発生してしまう。
そこで、本発明の目的は、透明基板に入射する光のうち、透明基板内を反射を繰り返しながら板面の方向に伝搬する光が集積回路の能動領域に到達することをできるだけ排除できる液晶表示装置を提供することにある。
【０００８】
また、本発明の他の目的は、その集積回路の能動領域に到達する光を排除する手段を設けた場合であっても、既存の実装技術を利用して集積回路を透明電極上に実装できる液晶表示装置を提供することにある。
【０００９】
【課題を解決するための手段】
上記の課題を解決し本発明の目的を達成するために、各発明は、以下のように構成した。
すなわち、第１の発明は、液晶パネルの透明基板上に、表示に係る集積回路を搭載するとともに、その搭載時に前記集積回路の能動領域が前記透明基板上と対向するようになっている液晶表示装置において、前記透明基板上であって、前記集積回路の搭載領域およびその搭載領域の周囲に、ブラスト処理領域をそれぞれ形成するようにした。
【００１０】
第２の発明は、液晶パネルの透明基板上に、表示に係る集積回路を搭載するとともに、その搭載時に前記集積回路の能動領域が前記透明基板上と対向するようになっている液晶表示装置において、前記透明基板上であって、前記集積回路の搭載領域の周囲に、ブラスト処理領域を形成するようにした。
第３の発明は、液晶パネルの透明基板上に、表示に係る集積回路を搭載するとともに、その搭載時に前記集積回路の能動領域が前記透明基板上と対向するようになっている液晶表示装置において、前記透明基板であって、前記集積回路の搭載領域およびその搭載領域の周囲の各下方の透明基板内に、前記集積回路の能動領域に入射する光を遮断する遮光層を、それぞれ設けるようにした。
【００１１】
第４の発明は、液晶パネルの透明基板上に、表示に係る集積回路を搭載するとともに、その搭載時に前記集積回路の能動領域が前記透明基板上と対向するようになっている液晶表示装置において、前記透明基板であって、前記集積回路の搭載領域の下方の透明基板内に、前記集積回路の能動領域に入射する光を遮断する遮光層を設けるようにした。
【００１２】
第５の発明は、液晶パネルの透明基板上に、表示に係る集積回路を搭載するとともに、その搭載時に前記集積回路の能動領域が前記透明基板上と対向するようになっている液晶表示装置において、前記透明基板は、前記集積回路の搭載領域およびその搭載領域の周囲をそれぞれ着色処理して、着色処理領域とした。
このような構成からなる本発明によれば、透明基板に入射する光のうち、透明基板内を反射を繰り返しながら板面の方向に伝搬する光が、集積回路の能動領域に到達することを排除したり防止したりできる。
【００１３】
また、本発明によれば、その集積回路の能動領域に到達する光を排除する手段を設けた場合であっても、既存の実装技術を利用して集積回路を透明電極上に実装できる。
【００１４】
【発明の実施の形態】
以下、本発明の半導体装置の実施の形態について説明する。
本発明の液晶表示装置の第１実施形態について、図１および図２を参照して説明する。
この第１実施形態に係る液晶表示装置は、図１および図２に示すように、液晶パネル１を有している。この液晶パネル１は、第１透明基板２と、この第１透明基板２と対向する第２透明基板３とを備え、その第１透明基板２と第２透明基板３との間の一部に、液晶４などの電気光学的材料を封止することにより形成されている。第１透明基板２および第２透明基板３は、ガラス板などにより構成されている。
【００１５】
第２透明基板３上であって、集積回路（半導体装置）５の搭載領域（実装領域）とその搭載領域の周囲の領域とに、細かな凹凸面（粗雑面）からなるブラスト処理領域６が形成されている。このブラスト処理領域６は、第２透明基板３の表面側を化学的処理または機械的処理させて細かな凹凸面を形成するようにしている。
【００１６】
ここで、ブラスト処理領域６は、液晶パネル１を構成する第２透明基板３内に入射した光の一部が、その第２透明基板３内を反射を繰り返して板面方向に伝搬して集積回路５に向かう途中で散乱させ、集積回路５の能動領域（アクティブ領域）への到達量を減少させるのに効果的なものである。
ブラスト処理領域６上の一部には、導電パターン電極（図示せず）が形成され、その導電パターン電極上に、バンプ電極７を介して集積回路５が接続されている。ここで、集積回路５は、例えば液晶パネル１の表示に関する動作や制御に使用するものである。
【００１７】
このような構成からなる第１実施形態では、図１に示すように、液晶パネル１を構成する第２透明基板３内に入射した光の一部が、その第２透明基板３内を反射を繰り返して板面方向に伝搬してブラスト処理領域６を通過するが、この通過の際にその光がラスト処理領域６で散乱され、集積回路５の能動領域への到達量が減少する。このため集積回路５の誤動作を防止できる。
【００１８】
また、第１実施形態では、第２透明基板３上に導電パターン電極や配線を形成すると同様に、ブラスト処理領域６上に導電パターン電極や配線を比較的容易に形成することができる。このため、集積回路５の能動領域に多数のバンプ電極７があるような場合でも、ブラスト処理領域６がない既存の場合と同様に集積回路５の実装を行うことができる。
【００１９】
さらに、第１実施形態では、集積回路の能動領域に到達する光を排除する手段の形成に、ブラスト処理を行うようにしたので、ブラスト処理領域６の形態を任意に決定することができ、この点で加工の自由度が高い。
次に、本発明の液晶表示装置の第２実施形態について、図３および図４を参照して説明する。
【００２０】
この第２実施形態に係る液晶表示装置は、図１および図２に示す第１実施形態のブラスト領域６を、図３および図４に示すようなブラスト領域６Ａに置き換えたものである。
すなわち、第２実施形態は、第２透明基板３上であって、集積回路５の搭載領域の周囲に沿って、ブラスト領域６Ａを形成するようにした。ブラスト領域６Ａは、図示のように、集積回路５の搭載領域の周囲に沿って略一定の幅からなるリング状のものが好ましい。また、ブラスト領域６Ａは、集積回路５の搭載領域の周囲のみならず、その搭載領域の外周部にも形成するようにしても良い（図３および図４参照）。
【００２１】
このような構成からなる第２実施形態によれば、図３に示すように第２透明基板３内に入射した光の一部が、その第２透明基板３内を反射を繰り返しながら板面方向に伝搬してブラスト処理領域６Ａを通過するが、この通過の際にその光がブラスト処理領域６Ａで散乱され、集積回路５の能動領域への到達量が減少する。このため、集積回路５の誤動作を防止できる。このような第２実施形態の効果は、第１実施形態の場合と実質的に同等であることが、実験により確認されている。
【００２２】
また、第２実施形態では、上記の第１実施形態と同様の効果を実現することができる。
次に、本発明の液晶表示装置の第３実施形態について、図５〜図７を参照して説明する。
この第３実施形態に係る液晶表示装置は、図５および図６に示すように、液晶パネル１を有している。この液晶パネル１は、第１透明基板２と、この第１透明基板２と対向する第２透明基板３とを備え、その第１透明基板２と第２透明基板３との間の一部に、液晶４を封止することにより形成されている。
【００２３】
第２透明基板３の一部であって、集積回路５の搭載領域およびその搭載領域の周囲の領域の各下方の第２透明基板３内に、集積回路５の能動領域に入射される光を遮断する遮光層１１を形成するようにした。
ここで、遮光層１１は、第２透明基板３内に入射した光の一部が、その第２透明基板３内を反射を繰り返して板面方向に伝搬して集積回路５に向かう途中で遮断させ、集積回路５の能動領域への到達を防ぐのに効果的なものである。
【００２４】
遮光層１１は、具体的には、図７に示すように形成されている。
すなわち、第２透明基板３の遮光層１１を形成すべき部分に、一部が開放された凹部１２を形成し、この凹部１２の内周面全体に蒸着膜などからなる遮光層１１を形成している。遮光層１１上には、ガラス板からなる透明基板１３が接着などにより接合されている。透明基板１３は、その表面が第２透明基板３の表面と同一の高さになるように形成されている。
【００２５】
さらに、透明基板１３上の一部には、導電パターン電極（図示せず）が形成され、その導電パターン電極上に、バンプ電極７を介して集積回路５が接続されている。
このような構成からなる第３実施形態では、図５に示すように第２透明基板３内に入射した光の一部が、その第２透明基板３内を反射しながら板面方向に向けて伝搬して遮光層１１を通過しようとするが、遮光層１１でその光が反射されるので、集積回路５の能動領域へ到達できない。このため集積回路５の誤動作を防止できる。
【００２６】
また、第３実施形態では、第２透明基板３上に導電パターン電極や配線を形成すると同様に、透明基板１３上に導電パターン電極や配線を比較的容易に形成することができる。このため、集積回路５の能動領域に多数のバンプ電極７がある場合でも、透明基板１３がない既存のものと同様に集積回路５の実装を行うことができる。
【００２７】
次に、本発明の液晶表示装置の第４実施形態について、図８〜図１０を参照して説明する。
この第４実施形態に係る液晶表示装置は、図５および図６に示す第３実施形態の遮光層１１を、図８および図９に示すような遮光層１１Ａに置き換えたものである。
【００２８】
すなわち、第４実施形態は、第２透明基板３であって、集積回路５の搭載領域の下方の第２透明基板３内に、遮光層１１Ａを形成するようにした。遮光層１１Ａは、集積回路５の能動領域に入射される光を遮断する遮光層１１を形成するようにした。
遮光層１１Ａは、具体的には、図１０に示すように形成されている。すなわち、第２透明基板３の遮光層１１Ａを形成すべき部分に凹部２２を形成し、この凹部２２の内周面全体に蒸着膜などからなる遮光層１１Ａを形成するようにした。遮光層１１Ａ上には、ガラス板からなる透明基板２３が接着などにより接合されている。透明基板２３は、その表面が第２透明基板３の表面と同一の高さになるように形成されている。
【００２９】
このような構成からなる第４実施形態では、図８に示すように第２透明基板３内に入射した光の一部が、その第２透明基板３内を反射しながら板面方向に伝搬して遮光層１１Ａを通過しようとするが、遮光層１１Ａでその光が遮断されるので、集積回路５の能動領域へ到達できない。このため集積回路５の誤動作を防止できる。
【００３０】
また、第４実施形態では、第２透明基板３上に導電パターン電極や配線を形成すると同様に、透明基板２３上に導電パターン電極や配線を比較的容易に形成することができる。このため、集積回路５の能動領域に多数のバンプ電極７があるような場合でも、透明基板２３がない場合と同様に集積回路５の実装を行うことができる。
【００３１】
次に、本発明の液晶表示装置の第５実施形態について、図１１および図１２を参照して説明する。
この第５実施形態に係る液晶表示装置は、図１１および図１２に示すように、液晶パネル１を有している。この液晶パネル１は、第１透明基板２と、この第１透明基板２と対向する第２透明基板３とを備え、その第１透明基板２と第２透明基板３との間の一部に、液晶４を封止することにより形成されている。
【００３２】
第２透明基板３のうち、集積回路５の搭載領域およびその搭載領域の周囲の領域を、所定の色で着色処理させて着色処理領域３１を形成するようにした。
ここで、この着色処理領域３１は、液晶パネル１を構成する第２透明基板３内に入射した光の一部が、その第２透明基板３内を反射しながら板面方向に伝搬して集積回路５に向かう途中でその光の透過を減衰させ、集積回路５の能動領域への到達量を減少するために効果的なものである。
【００３３】
着色処理領域３１の色は、光が透過する際の減衰量が大きいほど良く、例えば黒色などが好ましい。また、着色処理領域３１は、図１１に示すように第２透明基板３の厚さ方向にわたって全体に着色しても良く、あるいはその表面側の一部を着色しても良い。
このような構成からなる第５実施形態では、図１１に示すように第２透明基板３内に入射した光の一部が、その第２透明基板３内を反射を繰り返しながら板面方向に伝搬して着色処理領域３１に到達するが、その光が着色処理領域３１を伝搬中に減衰するので、集積回路５の能動領域への到達量が減少する。このため、集積回路５の誤動作を防止できる。
【００３４】
また、第５実施形態では、第２透明基板３の外観の構造は既存のものと同様であるので、第２透明基板３上の集積回路５の能動領域と対向する面に、導電パターン電極や配線を従来と同様に形成することができる。このため、集積回路５の能動領域に多数のバンプ電極７があるような場合でも、既存の場合と同様に集積回路５の実装を行うことができる。
【００３５】
次に、本発明の液晶表示装置の第６実施形態について、図１３を参照して説明する。
この第６実施形態に係る液晶表示装置は、図１３に示すように、液晶パネル４１を有している。この液晶パネル４１は、第１透明基板４２と、この第１透明基板４２と対向する第２透明基板４３とを備え、その第１透明基板４２と第２透明基板４３との間の一部に、シール剤４９を使用して液晶４４を封止することにより形成されている。
【００３６】
第１透明基板４２上の所定位置には、導電パターン電極４８が形成されている。その導電パターン電極４８上に、バンプ電極４７を介して駆動回路ＩＣ４５が接続されている。駆動回路ＩＣ４５は、液晶４に導電パターン電極４８により駆動電圧を供給するためのものである。
第１透明基板４２の一部であって、駆動回路ＩＣ４５の搭載領域およびその搭載領域の周囲の領域の下方の第１透明基板４２内には、集積回路４５の能動領域に入射される光を遮断する遮光層５１を形成するようにした。
【００３７】
ここで、遮光層５１は、第１透明基板４２内にバックライト光として入射した光の一部が、その第１透明基板４２内を反射を繰り返しながら板面方向に伝搬して駆動回路ＩＣ４５に向かう途中でその光を遮断させ、駆動回路ＩＣ４５の能動領域への到達を防ぐために効果的なものである。
遮光層５１は、以下のように構成される。すなわち、第１透明基板４２のうち遮光層５１を形成すべき部分に凹部５２を形成し、この凹部５２の内周面全体に蒸着膜などからなる遮光層５１を形成している。遮光層５１上には、ガラス板からなる透明基板５３が接着などにより接合されている。透明基板５３は、その表面が第１透明基板４２の表面と同一の高さになるように形成されている。
【００３８】
このような構成からなる第６実施形態では、図１３に示すように第１透明基板４２内にバックライト光として入射した光の一部が、その第１透明基板４２内を反射を繰り返しながら板面方向に向けて伝搬して遮光層５１を通過しようとするが、遮光層５１でその光が遮断されるので、駆動回路ＩＣ４５の能動領域へ到達できない。このため駆動回路ＩＣ４５の誤動作を防止できる。
【００３９】
また、第６実施形態では、第１透明基板４２上に導電型パターン電極や配線を形成すると同様に、透明基板５３上に導電パターン電極や配線を比較的容易に形成することができる。このため、駆動回路ＩＣ４５の能動領域に多数のバンプ電極４７がある場合でも、透明基板５３がない既存のものと同様に駆動回路ＩＣ４５の実装を行うことができる。
【００４０】
【発明の効果】
以上説明したように、本発明によれば、透明基板に入射する光のうち、透明基板内を反射を繰り返しながら板面の方向に伝搬する光が、集積回路の能動領域に到達することを排除したり防止したりできる。
また、本発明によれば、その集積回路の能動領域に到達する光を排除する手段を設けた場合であっても、既存の実装技術を利用して集積回路を透明電極上に実装できる。
【図面の簡単な説明】
【図１】本発明の第１実施形態の構成を示す断面図である。
【図２】同第１実施形態の平面図である。
【図３】本発明の第２実施形態の構成を示す断面図である。
【図４】同第２実施形態の平面図である。
【図５】本発明の第３実施形態の構成を示す断面図である。
【図６】同第３実施形態の平面図である。
【図７】同第３実施形態の要部の拡大断面図である。
【図８】本発明の第４実施形態の構成を示す断面図である。
【図９】同第４実施形態の平面図である。
【図１０】同第４実施形態の要部の拡大断面図である。
【図１１】本発明の第５実施形態の構成を示す断面図である。
【図１２】同第５実施形態の平面図である。
【図１３】本発明の第６実施形態の構成を示す断面図である。
１は液晶パネル、２は第１透明基板、３は第２透明基板、４は液晶、５は集積回路、６、６Ａはブラスト処理領域、７はバンプ電極、１１、１１Ａは遮光層、３１は着色処理領域３１である。
【図１】
2004347763.tif 000003
【図２】
2004347763.tif 000004
【図３】
2004347763.tif 000005
【図４】
2004347763.tif 000006
【図５】
2004347763.tif 000007
【図６】
2004347763.tif 000008
【図７】
2004347763.tif 000009
【図８】
2004347763.tif 000010
【図９】
2004347763.tif 000011
【図１０】
2004347763.tif 000012
【図１１】
2004347763.tif 000013
【図１２】
2004347763.tif 000014
【図１３】
2004347763.tif 000015